(57)【要約】【課題】クサビ緊結式足場を構築する場合に、ポケットを任意の位置に簡単かつ確実に固定することができるようにする。【解決手段】第１挟持部材１０及び第２挟持部材２０を回動可能に連結する。第１挟持部材１０及び第２挟持部材２０の一端側を締結部材４０によって互いに接近する方向に締結可能にする。クサビが差し込まれ固定されるポケット１５、２５を第１挟持部材１０及び第２挟持部材２０に設ける。【選択図】図１
2019132042.tif 000002
【特許請求の範囲】
【請求項１】
足場構成部材に設けられたクサビを支柱に設けられたポケットに差し込んで固定することによって構築されるクサビ緊結式足場に使用されるクサビ緊結式足場用クランプにおいて、
前記支柱の外周面に対して該支柱の径方向一側及び他側からそれぞれ当接して該支柱を径方向に挟持する第１挟持部材及び第２挟持部材と、
前記第１挟持部材の一端側と前記第２挟持部材の一端側とが互いに接離する方向に回動可能に該第１挟持部材の他端側と該第２挟持部材の他端側とを連結する連結部材と、
前記第１挟持部材の一端側と前記第２挟持部材の一端側とを互いに接近する方向に締結する締結部材とを備え、
前記ポケットは、前記第１挟持部材及び前記第２挟持部材の少なくとも一方に設けられていることを特徴とするクサビ緊結式足場用クランプ。
【請求項２】
請求項１に記載のクサビ緊結式足場用クランプにおいて、
前記ポケットは、前記第１挟持部材及び前記第２挟持部材に設けられていることを特徴とするクサビ緊結式足場用クランプ。
【請求項３】
請求項２に記載のクサビ緊結式足場用クランプにおいて、
前記第１挟持部材に設けられている前記ポケットの幅方向中心部と、前記第２挟持部材に設けられている前記ポケットの幅方向中心部とは、前記支柱の径方向に延びる同一直線上に位置していることを特徴とするクサビ緊結式足場用クランプ。
【請求項４】
請求項１から３のいずれか１つに記載のクサビ緊結式足場用クランプにおいて、
前記第１挟持部材及び前記第２挟持部材における前記支柱の外周面に当接する部分は、該支柱の外周面に沿って延びる曲面部で構成されていることを特徴とするクサビ緊結式足場用クランプ。
【請求項５】
請求項４に記載のクサビ緊結式足場用クランプにおいて、
前記ポケットを構成している部材は、前記曲面部よりも前記支柱の径方向外方に位置していることを特徴とするクサビ緊結式足場用クランプ。
【請求項６】
請求項１から５のいずれか１つに記載のクサビ緊結式足場用クランプにおいて、
前記第１挟持部材は、前記支柱の中心線方向に互いに間隔をあけて設けられ、前記支柱の外周面に当接する第１当接板材及び第２当接板材を備えていることを特徴とするクサビ緊結式足場用クランプ。
【請求項７】
請求項６に記載のクサビ緊結式足場用クランプにおいて、
前記ポケットを構成している部材は、前記第１当接板材及び前記第２当接板材に固定されていることを特徴とするクサビ緊結式足場用クランプ。
【発明の詳細な説明】
【技術分野】
【０００１】
本発明は、クサビ緊結式足場を構築する際に使用されるクサビ緊結式足場用クランプに関する。
【背景技術】
【０００２】
従来より、例えば各種建築物の建設現場や土木工事現場等では作業員用の仮設足場を構築した後、各種作業が行われている。仮設足場を構築する場合には、例えば、支柱、布材、布枠、先行手摺ブレース等の足場構成部材が使用され、支柱に対して布材等が連結される。この連結構造として、例えば布材の端部に下方へ突出するように固定されたクサビと、支柱の外周面に固定されたポケットとを使用する構造が知られている（例えば、特許文献１〜３参照）。ポケットは、金属製の板材を折り曲げることによって形成されており、上方に開放している。クサビをポケットに差し込むことによって複数の足場構成部材を連結していき、仮設足場を構築することができる。クサビ及びポケットによる連結構造を備えた仮設足場はクサビ緊結式足場と呼ばれている。
【０００３】
特許文献１、２に開示されているように、支柱には複数のポケットが上下方向に互いに間隔をあけて設けられており、１つのクサビをいずれか１つのポケットに差し込んで固定することが可能になっている。つまり、支柱に連結される布材等の高さは当該支柱に固定されているポケットの高さによって決定される。また、特許文献３に開示されているように、ポケットを構成している金属製板材は、支柱の外周面に対して溶接によって強固に固定されていて支柱から取り外すことができないようになっているのが一般的である。
【先行技術文献】
【特許文献】
【０００４】
【特許文献１】特開２０１３−１０４２８８号公報
【特許文献２】特開２０１３−２１６７号公報
【特許文献３】特開２０１６−７９７５８号公報
【発明の概要】
【発明が解決しようとする課題】
【０００５】
ところで、上述したように、クサビが差し込まれるポケットは支柱の外周面に複数設けられているが、上下方向に所定の間隔をあけて溶接により固定されているものなので、ポケットを上下方向や支柱の周方向に移動させることはできない。従って、例えば布材を支柱に連結する際には、予め定められたポケットの高さ及び方向でしか連結することはできず、布材の設置自由度が低いという問題がある。例えば、支柱の上下方向に並ぶポケットの間に布材を設置しようとしてもポケットが無いので設置することはできず、また現場で所望位置にポケットを溶接するようなことは極めて困難である。
【０００６】
本発明は、かかる点に鑑みてなされたものであり、その目的とするところは、クサビ緊結式足場を構築する場合に、ポケットを任意の位置に簡単かつ確実に固定することができるようにすることにある。
【課題を解決するための手段】
【０００７】
上記目的を達成するために、第１の発明は、足場構成部材に設けられたクサビを支柱に設けられたポケットに差し込んで固定することによって構築されるクサビ緊結式足場に使用されるクサビ緊結式足場用クランプにおいて、前記支柱の外周面に対して該支柱の径方向一側及び他側からそれぞれ当接して該支柱を径方向に挟持する第１挟持部材及び第２挟持部材と、前記第１挟持部材の一端側と前記第２挟持部材の一端側とが互いに接離する方向に回動可能に該第１挟持部材の他端側と該第２挟持部材の他端側とを連結する連結部材と、前記第１挟持部材の一端側と前記第２挟持部材の一端側とを互いに接近する方向に締結する締結部材とを備え、前記ポケットは、前記第１挟持部材及び前記第２挟持部材の少なくとも一方に設けられていることを特徴とする。
【０００８】
この構成によれば、第１挟持部材の一端側と第２挟持部材の一端側とが互いに離れる方向に第１挟持部材及び第２挟持部材を回動させると、第１挟持部材の一端側と第２挟持部材の一端側との間隔が広がるので、支柱を第１挟持部材と第２挟持部材との間に配置することが可能になる。支柱を第１挟持部材と第２挟持部材との間に配置した後、第１挟持部材の一端側と第２挟持部材の一端側とが互いに接近する方向に第１挟持部材及び第２挟持部材を回動させると、第１挟持部材及び第２挟持部材が支柱の外周面に対して該支柱の径方向一側及び他側からそれぞれ当接する。そして、締結部材により第１挟持部材の一端側と第２挟持部材の一端側とを互いに接近する方向に締結することで、第１挟持部材及び第２挟持部材が支柱を径方向に挟持してクサビ緊結式足場用クランプが支柱に対して固定された状態になる。第１挟持部材及び第２挟持部材の少なくとも一方にはポケットが設けられているので、ポケットが第１挟持部材及び第２挟持部材によって支柱に確実に固定されることになる。
【０００９】
第１挟持部材及び第２挟持部材は支柱を径方向に挟持するものなので、例えば足場を構築する現場において第１挟持部材及び第２挟持部材を支柱の高さ方向に移動させること、支柱の周方向に移動させることが簡単に行える。よって、ポケットの位置変更が簡単になる。
【００１０】
第２の発明は、前記ポケットは、前記第１挟持部材及び前記第２挟持部材に設けられていることを特徴とする。
【００１１】
この構成によれば、第１挟持部材に設けたクランプと、第２挟持部材に設けたクランプとを支柱の任意の位置に固定することができる。固定された状態では、第１挟持部材及び第２挟持部材は互いに締結されて動かないようになっているので、第１挟持部材及び第２挟持部材の相対的な位置の変化が起こらない。よって、第１挟持部材に設けたクランプと、第２挟持部材に設けたクランプとの相対的な位置の変化を抑制できる。
【００１２】
第３の発明は、前記第１挟持部材に設けられている前記ポケットの幅方向中心部と、前記第２挟持部材に設けられている前記ポケットの幅方向中心部とは、前記支柱の径方向に延びる同一直線上に位置していることを特徴とする。
【００１３】
この構成によれば、第１挟持部材に設けたクランプと、第２挟持部材に設けたクランプとを支柱の径方向に延びる同一直線上に位置付けることができる。これにより、第１挟持部材のクランプに連結した足場構成部材と、第２挟持部材のクランプに連結した足場構成部材とを同一直線上で位置決めすることができる。
【００１４】
第４の発明は、前記第１挟持部材及び前記第２挟持部材における前記支柱の外周面に当接する部分は、該支柱の外周面に沿って延びる曲面部で構成されていることを特徴とする。
【００１５】
この構成によれば、第１挟持部材及び第２挟持部材を締結すると、第１挟持部材及び第２挟持部材のそれぞれの曲面部が支柱の外周面に当接することになるので、第１挟持部材及び第２挟持部材と、支柱との接触面積を広く確保してポケットを安定させることができる。
【００１６】
第５の発明は、前記ポケットを構成している部材は、前記曲面部よりも前記支柱の径方向外方に位置していることを特徴とする。
【００１７】
この構成によれば、第１挟持部材及び第２挟持部材を締結した状態で、ポケットを構成している部材が支柱の外周面に当たらなくなるので、第１挟持部材及び第２挟持部材の曲面部によってクランプを所定位置に固定することができる。
【００１８】
第６の発明は、前記第１挟持部材は、前記支柱の中心線方向に互いに間隔をあけて設けられ、前記支柱の外周面に当接する第１当接板材及び第２当接板材を備えていることを特徴とする。
【００１９】
この構成によれば、第１当接板材及び第２当接板材が、支柱の外周面における中心線方向に互いに離れた部分に当接するので、第１挟持部材が締結状態で安定し、その結果、ポケットを安定させることができる。
【００２０】
第７の発明は、前記ポケットを構成している部材は、前記第１当接板材及び前記第２当接板材に固定されていることを特徴とする。
【００２１】
この構成によれば、ポケットを構成している部材の互いに離れた部分を第１当接板材及び第２当接板材に固定することができる。よってポケットを第１挟持部材に強固に固定することができる。
【発明の効果】
【００２２】
本発明によれば、支柱を径方向に挟持する第１挟持部材及び第２挟持部材を回動可能に連結するとともに、第１挟持部材及び第２挟持部材を締結部材によって締結可能にし、クサビが差し込まれ固定されるポケットを第１挟持部材及び第２挟持部材の少なくとも一方に設けたので、ポケットを支柱の任意の位置に簡単かつ確実に固定することができる。
【図面の簡単な説明】
【００２３】
【図１】本発明の実施形態に係るクサビ緊結式足場用クランプを上方から見た斜視図である。
【図２】クサビ緊結式足場用クランプを下方から見た斜視図である。
【図３】クサビ緊結式足場用クランプの平面図である。
【図４】図３のＡ方向矢視図である。
【図５】図３のＢ方向矢視図である。
【図６】クサビ緊結式足場用クランプを支柱に取り付けて布材を連結した状態を示す斜視図である。
【図７】締結軸部を外した状態の図３相当図である。
【図８】第１挟持部材及び第２挟持部材を開いた状態の図３相当図である。
【発明を実施するための形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
図１は、本発明の実施形態に係るクサビ緊結式足場用クランプ１を上方から見た斜視図であり、図２は、クサビ緊結式足場用クランプ１を下方から見た斜視図である。図６に示すように、クサビ緊結式足場用クランプ１は、例えば布材１００を支柱２００に連結する場合に使用される部材である。布材１００、支柱２００、布枠（図示せず）、先行手摺ブレース（図示せず）、幅木（図示せず）、壁つなぎ（図示せず）、ジャッキ（図示せず）、階段（図示せず）及びクサビ緊結式足場用クランプ１等によってクサビ緊結式足場が構築される。クサビ緊結式足場を構成している各部材は、足場構成部材である。
【００２６】
クサビ緊結式足場は、図６に示す布材１００の両端部にそれぞれ設けられたクサビ１０１を、支柱２００に設けられたポケット２０１、１５、２５に差し込んで固定することによって構築される。図示しないが、上記布枠、先行手摺ブレース等にもクサビが設けられており、これらクサビをポケット２０１、１５、２５に差し込んで固定することもできる。布材１００の端部に設けられるクサビ１０１の形状や構造は様々である。本発明は、どのクサビ１０１に対しても適用することができる。
【００２７】
支柱２００は、金属製の円管部材で構成されており、通常は、下方向に延びるように配設されるが、傾斜していても構わない。また、布材１００も支柱２００と同様な円管部材で構成されており、通常は略水平方向に延びるように配設されるが、傾斜していても構わない。
【００２８】
（クサビ緊結式足場用クランプ１の全体構成）
図１や図２に示すように、クサビ緊結式足場用クランプ１は、支柱２００を径方向に挟持する第１挟持部材１０及び第２挟持部材２０と、第１挟持部材１０及び第２挟持部材２０を回動可能に連結する連結部材３０と、第１挟持部材１０及び第２挟持部材２０を締結する締結部材４０と、第１ポケット１５及び第２ポケット２５とを備えている。図１〜図５に示すように、第１挟持部材１０及び第２挟持部材２０は、支柱２００の外周面に対して該支柱２００の径方向（水平方向）一側及び他側からそれぞれ当接することにより、支柱２００を径方向に挟持（クランプ）する部材である。
【００２９】
第１ポケット１５は第１挟持部材１０に設けられ、第２ポケット２５は第２挟持部材２０に設けられている。これら第１及び第２ポケット１５、２５は同じものである。この実施形態では、クサビ緊結式足場用クランプ１が２つのポケット１５、２５を備えている場合について説明するが、ポケットの数は２つに限定されるものではなく、１つであってもよいし、３つ以上であってもよい。
【００３０】
尚、この実施形態の説明では、図６に示すようにクサビ緊結式足場用クランプ１を支柱２００に取り付けた状態で、クサビ緊結式足場用クランプ１の下になる側を単に「下」といい、クサビ緊結式足場用クランプ１の上になる側を単に「上」というものとする。また、第１挟持部材１０及び第２挟持部材２０における連結部材３０によって連結される側を、第１挟持部材１０及び第２挟持部材２０の「基端側」といい、第１挟持部材１０及び第２挟持部材２０における連結部材３０によって連結される側とは反対側を、第１挟持部材１０及び第２挟持部材２０の「先端側」というものとする。第１挟持部材１０及び第２挟持部材２０の先端側が本発明の一端側に相当し、第１挟持部材１０及び第２挟持部材２０の基端側が本発明の他端側に相当する。このようにクサビ緊結式足場用クランプ１の方向を定義するのは説明の便宜を図るためだけであり、クサビ緊結式足場用クランプ１の使用状態を限定するものではなく、図示した姿勢以外の姿勢でクサビ緊結式足場用クランプ１を使用することも可能である。
【００３１】
また、図１〜６は、クサビ緊結式足場用クランプ１が使用状態にある場合を示しており、図７は、締結部材４０による締結が行われていない状態を示しており、図８は、第１挟持部材１０及び第２挟持部材２０の先端側同士が離れる方向に、第１挟持部材１０及び第２挟持部材２０を回動させた状態を示しており、支柱２００に取り付けられる前である。
【００３２】
（第１挟持部材１０の構成）
図１〜図５に示すように、第１挟持部材１０は、第１下側板材（第１当接板材）１１と、第１基端側上板材（第２当接板材）１２と、第１先端側上板材（第２当接板材）１３と、縦板部１４とを有している。第１下側板材１１、第１基端側上板材１２及び第１先端側上板材１４は例えば鋼板等で構成されている。
【００３３】
第１下側板材１１は、第１挟持部材１０の下側部分を構成する板材であり、図２等に示すように、支柱２００の外周面を周方向に略半分だけ囲むように形成され、支柱２００の中心線に対して直交する方向に延びている。第１下側板材１１における支柱２００の外周面に当接する部分は、該支柱２００の外周面に沿って延びる下側曲面部１１ａで構成されている。この下側曲面部１１ａは、支柱２００の外径と略同じ径の円弧に近い形状を有している。
【００３４】
図１及び図２に示すように、第１下側板材１１の先端側と基端側との間（中間部）には、第１ポケット１５を取り付けるための第１切欠部１１ｂが形成されている。この第１切欠部１１ｂは、第１下側板材１１における下側曲面部１１ａ側に開放されている。第１切欠部１１ｂの幅は、第１ポケット１５の幅Ｗ１（図３に示す）と略等しく設定されている。
【００３５】
第１基端側上板材１２及び第１先端側上板材１３は、第１挟持部材１０の上側部分を構成する板材であり、第１下側板材１１から上方へ離れて配設されている。従って、第１下側板材１１と、第１基端側上板材１２及び第１先端側上板材１３とは、支柱２００の中心線方向に互いに間隔をあけて設けられることになる。第１基端側上板材１２は、第１挟持部材１０の上側部分における基端側、即ち、連結部材３０によって連結される側を構成しており、支柱２００の外周面を周方向に囲むように形成され、支柱２００の中心線に対して直交する方向に延びている。一方、第１先端側上板材１３は、第１挟持部材１０の上側部分における先端側、即ち、連結部材３０によって連結される側とは反対側を構成している。第１先端側上板材１３も第１基端側上板材１２と同様に、支柱２００の外周面を周方向に囲むように形成され、支柱２００の中心線に対して直交する方向に延びている。
【００３６】
第１基端側上板材１２及び第１先端側上板材１３は、支柱２００の周方向に互いに間隔をあけて配置されている。第１基端側上板材１２及び第１先端側上板材１３の間に、第１ポケット１５が配設される。すなわち、第１基端側上板材１２及び第１先端側上板材１３の間隔は、第１ポケット１５の幅Ｗ１（図３に示す）と略等しく設定されており、第１ポケット１５を設けるための隙間が第１基端側上板材１２及び第１先端側上板材１３の間に形成されている。そして、第１基端側上板材１２における先端側の縁部と、第１先端側上板材１３における基端側の縁部との間に第１ポケット１５が配置されている。第１基端側上板材１２における先端側の縁部と、第１先端側上板材１３における基端側の縁部とが、第１ポケット１５に溶接等によって固定される。従って、第１基端側上板材１２及び第１先端側上板材１３は、第１ポケット１５により連結され、該第１ポケット１５を介して一体化されることになる。第１ポケット１５の支柱２００の周方向の位置は図示する位置に限られるものではなく、任意の位置にすることができる。第１ポケット１５の支柱２００の周方向の位置は、第１基端側上板材１２及び第１先端側上板材１３の形状と、第１切欠部１１ｂの形成位置とを変更することによって任意に変えることができる。
【００３７】
第１基端側上板材１２及び第１先端側上板材１３における支柱２００の外周面に当接する部分は、それぞれ、該支柱２００の外周面に沿って延びる下側曲面部１２ａ、１３ａで構成されている。この下側曲面部１２ａ、１３ａは、支柱２００の外径と略同じ径の円弧に近い形状を有している。
【００３８】
第１挟持部材１０の先端部には、例えば鋼鈑等からなる縦板材１４が設けられている。縦板材１４は、第１下側板材１１の先端部から第１先端側上板材１３の先端部まで上下方向に延びている。縦板材１４の下側部分が第１下側板材１１の先端部に対して溶接等により固定され、縦板材１４の下端部が第１下側板材１１よりも下方へ突出している。また縦板材１４の上側部分が第１先端側上板材１３の先端部に対して溶接等により固定され、縦板材１４の上端部が第１先端側上板材１３の上面よりも上方へ突出している。従って、第１下側板材１１の先端部と第１先端側上板材１３の先端部とは縦板材１４を介して連結されることになる。
【００３９】
縦板材１４の先端部は、第１下側板材１１の先端部及び第１先端側上板材１３の先端部よりも第１挟持部材１０の先端側へ向けて突出している。この縦板材１４には、後述する締結軸部４１を挿入する軸部挿入用切欠部１４ａが形成されている。軸部挿入用切欠部１４ａは、縦板材１４の先端側に向けて開放している。縦板材１４の先端部には、軸部挿入用切欠部１４ａの上方及び下方にそれぞれ上側屈曲部１４ｂ及び下側屈曲部１４ｃが形成されている。上側屈曲部１４ｂ及び下側屈曲部１４ｃは、使用状態にある第２挟持部材２０から離れる方向に屈曲している。この上側屈曲部１４ｂ及び下側屈曲部１４ｃの形成により、後述する締結状態にあるナット４２が上側屈曲部１４ｂ及び下側屈曲部１４ｃに係合して締結軸部４１が軸部挿入用切欠部１４ａから抜け難くなる。
【００４０】
（第２挟持部材２０の構成）
第２挟持部材２０は、第２下側板材（第１当接板材）２１と、第２基端側上板材（第２当接板材）２２と、第２先端側上板材（第２当接板材）２３とを有している。第２下側板材２１、第２基端側上板材２２及び第２先端側上板材２３は例えば鋼板等で構成されている。
【００４１】
第２下側板材２１は、第２挟持部材２０の下側部分を構成する板材であり、図２等に示すように、第１下側板材１１と同様に、支柱２００の外周面を周方向に略半分だけ囲むように形成され、支柱２００の中心線に対して直交する方向に延びている。この第２下側板材２１は、第１下側板材１１の上側に配置されているが、第１下側板材１１の下側に配置することもできる。
【００４２】
第２下側板材２１における支柱２００の外周面に当接する部分は、該支柱２００の外周面に沿って延びる下側曲面部２１ａで構成されている。この下側曲面部２１ａは、支柱２００の外径と略同じ径の円弧に近い形状を有している。第１挟持部材１０及び第２挟持部材２０を連結部材３０で連結した使用状態では、第１下側板材１１の下側曲面部１１ａと、第２下側板材２１の下側曲面部２１ａとが共に支柱２００の外周面に沿って延びるように配置することが可能になっている。この使用状態においては、第１下側板材１１の下側曲面部１１ａと、第２下側板材２１の下側曲面部２１ａとが、支柱２００の中心線Ｃ（図３に示す）近傍を中心としかつ該支柱２００の外径と略同径の同一円周上に位置するようになっている。
【００４３】
図２に示すように、第２下側板材２１の先端側と基端側との間（中間部）には、第２ポケット２５を取り付けるための第２切欠部２１ｂが形成されている。この第２切欠部２１ｂは、第２下側板材２１における下側曲面部２１ａ側に開放されている。第２切欠部２１ｂの幅は、第２ポケット１５の幅Ｗ２（図３に示す）と略等しく設定されている。
【００４４】
第２基端側上板材２２及び第２先端側上板材２３は、第２挟持部材２０の上側部分を構成する板材であり、第２下側板材２１から上方へ離れて配設されている。従って、第２下側板材２１と、第２基端側上板材２２及び第１先端側上板材２３とは、支柱２００の中心線方向に互いに間隔をあけて設けられることになる。第２基端側上板材２２は、第２挟持部材２０の上側部分における基端側、即ち、連結部材３０によって連結される側を構成しており、支柱２００の外周面を周方向に囲むように形成され、支柱２００の中心線に対して直交する方向に延びている。一方、第２先端側上板材２３は、第２挟持部材２０の上側部分における先端側、即ち、連結部材３０によって連結される側とは反対側を構成している。第２先端側上板材２３も第２基端側上板材２２と同様に、支柱２００の外周面を周方向に囲むように形成され、支柱２００の中心線に対して直交する方向に延びている。
【００４５】
第２基端側上板材２２及び第２先端側上板材２３は、第１基端側上板材１２及び第１先端側上板材１３よりも下に配置されているが、これに限らず、第１基端側上板材１２及び第１先端側上板材１３よりも上に配置してもよい。この実施形態では、第２基端側上板材２２及び第２先端側上板材２３と、第２下側板材２１との間隔が、第１基端側上板材１２及び第１先端側上板材１３と、第１下側板材１１との間隔よりも狭く設定されている。
【００４６】
第２基端側上板材２２及び第２先端側上板材２３は、支柱２００の周方向に互いに間隔をあけて配置されている。第２基端側上板材２２及び第２先端側上板材２３の間に、第２ポケット２５が配設される。すなわち、第２基端側上板材２２及び第２先端側上板材２３の間隔は、第２ポケット２５の幅Ｗ２（図３に示す）と略等しく設定されており、第２ポケット２５を設けるための隙間が第２基端側上板材２２及び第２先端側上板材２３の間に形成されている。そして、第２基端側上板材２２における先端側の縁部と、第２先端側上板材２３における基端側の縁部との間に第２ポケット２５が配置されている。第２基端側上板材２２における先端側の縁部と、第２先端側上板材２３における基端側の縁部とが、第２ポケット２５に溶接等によって固定される。従って、第２基端側上板材２２及び第２先端側上板材２３は、第２ポケット２５により連結され、該第２ポケット２５を介して一体化されることになる。
【００４７】
第２ポケット２５の支柱２００の周方向の位置は図示する位置に限られるものではなく、任意の位置にすることができる。第２ポケット２５の支柱２００の周方向の位置は、第２基端側上板材２２及び第２先端側上板材２３の形状と、第２切欠部２１ｂの形成位置とを変更することによって任意に変えることができる。
【００４８】
この実施形態では、図３に示すように、第１挟持部材１０に設けられている第１ポケット１５の幅方向Ｗ１の中心部と、第２挟持部材２０に設けられている第２ポケット２５の幅方向Ｗ２の中心部とは、支柱２００の径方向に延びる同一直線Ｄ上に位置している。この直線Ｄは、支柱２００の中心線Ｃを通って径方向に延びる仮想の線である。
【００４９】
第２基端側上板材２２及び第２先端側上板材２３における支柱２００の外周面に当接する部分は、それぞれ、該支柱２００の外周面に沿って延びる下側曲面部２２ａ、２３ａで構成されている。この下側曲面部２２ａ、２３ａは、支柱２００の外径と略同じ径の円弧に近い形状を有している。
【００５０】
第１挟持部材１０及び第２挟持部材２０を連結部材３０で連結した使用状態では、第１基端側上板材１２及び第１先端側上板材１３の下側曲面部１２ａ、１３ａと、第２基端側上板材２２及び第２先端側上板材２３の下側曲面部２２ａ、２３ａとが共に支柱２００の外周面に沿って延びるように配置することが可能になっている。この使用状態においては、第１基端側上板材１２及び第１先端側上板材１３の下側曲面部１２ａ、１３ａと、第２基端側上板材２２及び第２先端側上板材２３の下側曲面部２２ａ、２３ａとが、支柱２００の中心線Ｃ（図３に示す）近傍を中心としかつ該支柱２００の外径と略同径の同一円周上に位置するようになっている。
【００５１】
（第１ポケット１５の構成）
第１ポケット１５は、図６に示すクサビ１０１が差し込まれて固定される部分であり、例えば鋼板等の板材で構成されている。第１ポケット１５は、第１挟持部材１０の基端側に位置して上下方向に延びる第１側板部１５ａと、第１挟持部材１０の先端側に位置して上下方向に延びる第２側板部１５ｂと、端板部１５ｃとで構成されている。端板部１５ｃは、第１側板部１５ａの外端部から第２側板部１５ｂの外端部まで延びている。これにより、第１ポケット１５は、上下方向両方に開放されるとともに、支柱２００の外周面と対向する部分も開放されることになる。第１ポケット１５の形状は、差し込まれるクサビ１０１の大きさや形状、構造に応じて変更すればよい。第１ポケット１５の形状を変更しても本実施形態と同様に第１ポケット１５を設けることができる。また、第１挟持部材１０に第１ポケット１５を複数設けることができる。この場合、複数の第１ポケット１５を支柱２００の周方向に互いに間隔をあけて配置することができる。また、第１挟持部材１０にはポケットを設けることなく、第２挟持部材２０にのみポケットを設けてもよい。
【００５２】
第１ポケット１５の第１側板部１５ａが第１基端側上板材１２の先端側の縁部に溶接によって固定されるとともに、第１下側板材１１の第１切欠部１１ｂの縁部にも同様に固定される。第１ポケット１５の第２側板部１５ｂが第１先端側上板材１３の基端側の縁部に溶接によって固定されるとともに、第１下側板材１１の第１切欠部１１ｂの縁部にも同様に固定される。また、第１ポケット１５の端板部１５ｃは、第１下側板材１１の第１切欠部１１ｂの縁部に溶接によって固定される。つまり、第１下側板材１１、第１基端側上板材１２及び第１先端側上板材１３は、溶接された第１ポケット１５によって連結される。
【００５３】
図１に示すように、第１ポケット１５の上端部は、第１基端側上板材１２及び第１先端側上板材１３の上面よりも上方へ突出している。図２に示すように、第１ポケット１５の下端部は、第１下側板材１１の下面よりも下方へ突出している。
【００５４】
また、第１ポケット１５を構成している部材は、第１下側板材１１の下側曲面部１１ａ、第１基端側上板材１２の下側曲面部１２ａ及び第１先端側上板材１３の下側曲面部１３ａよりも支柱２００の径方向外方に位置している。これにより、クサビ緊結式足場用クランプ１が支柱２００に取り付けられた時に、第１ポケット１５を構成している部材が支柱２００の外周面に当たらなくなる。
【００５５】
（第２ポケット２５の構成）
第２ポケット２５は、第１ポケット１５と同様にクサビ１０１が差し込まれて固定される部分であり、例えば鋼板等の板材で構成されている。第２ポケット２５は、第２挟持部材２０の基端側に位置して上下方向に延びる第１側板部２５ａと、第２挟持部材２０の先端側に位置して上下方向に延びる第２側板部２５ｂと、端板部２５ｃとで構成されている。端板部２５ｃは、第１側板部２５ａの外端部から第２側板部２５ｂの外端部まで延びている。これにより、第２ポケット２５は、上下方向両方に開放されるとともに、支柱２００の外周面と対向する部分も開放されることになる。第２ポケット２５の形状は、第１ポケット１５と同様に、差し込まれるクサビ１０１の大きさや形状、構造に応じて変更すればよい。第２ポケット２５の形状を変更しても本実施形態と同様に第２ポケット２５を設けることができる。また、第２挟持部材２０に第２ポケット２５を複数設けることができる。この場合、複数の第２ポケット２５を支柱２００の周方向に互いに間隔をあけて配置することができる。また、第２挟持部材２０にはポケットを設けることなく、第１挟持部材１０にのみポケットを設けてもよい。
【００５６】
第２ポケット２５の第１側板部２５ａが第２基端側上板材２２の先端側の縁部に溶接によって固定されるとともに、第２下側板材２１の第２切欠部２１ｂの縁部にも同様に固定される。第２ポケット２５の第２側板部１５ｂが第２先端側上板材２３の基端側の縁部に溶接によって固定されるとともに、第２下側板材２１の第２切欠部２１ｂの縁部にも同様に固定される。また、第２ポケット２５の端板部２５ｃは、第２下側板材２１の第２切欠部２１ｂの縁部に溶接によって固定される。つまり、第２下側板材２１、第２基端側上板材２２及び第２先端側上板材２３は、溶接された第２ポケット２５によって連結される。
【００５７】
図１に示すように、第２ポケット２５の上端部は、第２基端側上板材２２及び第２先端側上板材２３の上面よりも上方へ突出している。図２に示すように、第２ポケット２５の下端部は、第２下側板材２１の下面よりも下方へ突出している。
【００５８】
また、第２ポケット２５を構成している部材は、第２下側板材２１の下側曲面部２１ａ、第２基端側上板材２２の下側曲面部２２ａ及び第２先端側上板材２３の下側曲面部２３ａよりも支柱２００の径方向外方に位置している。これにより、クサビ緊結式足場用クランプ１が支柱２００に取り付けられた時に、第２ポケット２５を構成している部材が支柱２００の外周面に当たらなくなる。
【００５９】
（連結部材３０の構成）
連結部材３０は、例えば金属製の丸棒材等で構成することができ、上下方向に延びている。連結部材３０の上側部分が、第１基端側上板材１２の基端側及び第２基端側上板材２２の基端側を貫通している。すなわち、第１基端側上板材１２の基端側及び第２基端側上板材２２の基端側には、連結部材３０の上側部分が挿通可能な挿通孔（図示せず）が形成されている。これら両挿通孔に連結部材３０の上側部分が挿通されており、この挿通状態で、連結部材３０が第１基端側上板材１２の基端側及び第２基端側上板材２２の基端側に対して該連結部材３０の中心線周りに相対的に回動可能となっている。連結部材３０の上端部は、第１基端側上板材１２の上面から上方へ突出している。連結部材３０の上端部には上側止め輪３１が嵌められている。
【００６０】
連結部材３０の下側部分は、第１下側板材１１の基端側及び第２下側板材１２の基端側を貫通している。すなわち、第１下側板材１１の基端側及び第２下側板材１２の基端側には、連結部材３０の下側部分が挿通可能な挿通孔（図示せず）が形成されている。これら両挿通孔に連結部材３０の下側部分が挿通されており、この挿通状態で、連結部材３０が第１下側板材１１の基端側及び第２下側板材１２の基端側に対して該連結部材３０の中心線周りに相対的に回動可能となっている。図２に示すように、連結部材３０の下端部は、第１下側板材１１の下面から下方へ突出している。連結部材３０の下端部には下側止め輪３２が嵌められている。これにより、連結部材３０は第１挟持部材１０及び第２挟持部材２０から脱落しなくなる。
【００６１】
従って、連結部材３０によって第１挟持部材１０の基端側と第２挟持部材２０の基端側とが連結されて、第１挟持部材１０の先端側と第２挟持部材２０の先端側とが互いに接離する方向に回動可能になる。
【００６２】
（締結部材４０の構成）
締結部材４０は、締結軸部４１、ナット４２、支軸４３、上側止め輪４４及び下側止め輪４５（図２に示す）を少なくとも備えている。図１等に示すように、締結軸部４１の基端部には大径部４１ａが形成されている。締結軸部４１における大径部４１ａ以外の部分は、外周面にネジ溝が連続して形成されたネジ棒で構成されており、例えばボルトの軸部等で構成することができる。ナット４２は、締結軸部４１に螺合する部材である。ナット４２のフランジ部４２ａが縦板部１４における軸部挿入用切欠部１４ａの周縁部に当接するようになっている。
【００６３】
支軸４３は、締結軸部４１の大径部４１ａを第２挟持部材２０の先端側に対して回動可能に支持するための部材である。支軸４３は、上記連結部材３０と同様に上下方向に延びる丸棒材で構成されている。支軸４３の上側部分は、第２先端側上板材２３の先端側を貫通している。すなわち、第２先端側上板材２３の先端側には、支軸４３の上側部分が挿通可能な挿通孔（図示せず）が形成されている。この挿通孔に支軸４３の上側部分が挿通されており、この挿通状態で、支軸４３が第２先端側上板材２３の先端側に対して該支軸４３の中心線周りに相対的に回動可能となっている。支軸４３の上端部は、第２先端側上板材２３の上面から上方へ突出している。支軸４３の上端部には上側止め輪４４が嵌められている。
【００６４】
支軸４３の下側部分は、第２下側板材２１の先端側を貫通している。すなわち、第２下側板材２１の先端側には、支軸４３の下側部分が挿通可能な挿通孔（図示せず）が形成されている。この挿通孔に支軸４３の下側部分が挿通されており、この挿通状態で、支軸４３が第２下側板材２１の先端側に対して該支軸４３の中心線周りに相対的に回動可能となっている。支軸４３の下端部は、第２下側板材２１の下面から下方へ突出している。支軸４３の下端部には下側止め輪４５が嵌められている。
【００６５】
締結軸部４１を回動させることにより、図１等に示すように、締結軸部４１を縦板材１４の軸部挿入用切欠部１４ａに挿入した状態と、図７及び図８に示すように、締結軸部４１を縦板材１４の軸部挿入用切欠部１４ａから抜いた状態とに切り替えることができる。締結軸部４１を縦板材１４の軸部挿入用切欠部１４ａに挿入した状態で、ナット４２を締め込むと、第１挟持部材１０の先端側と第２挟持部材２０の先端側とが接近する方向に締結される。
【００６６】
（実施形態の作用効果）
以上説明したように、この実施形態に係るクサビ緊結式足場用クランプ１によれば、図７に示すように締結軸部４１を縦板材１４の軸部挿入用切欠部１４ａから抜いた状態にすることで、図８に示すように第１挟持部材１０の先端側と第２挟持部材２０の先端側とが離れるように、第１挟持部材１０と第２挟持部材２０を回動させることができる。回動させる際には、第１挟持部材１０を固定しておき、第２挟持部材２０を第１挟持部材１０に対して回動させることや、第２挟持部材２０を固定しておき、第１挟持部材１０を第２挟持部材２０に対して回動させることができる。
【００６７】
クサビ緊結式足場用クランプ１を支柱２００に取り付ける場合には、第１挟持部材１０の先端側と第２挟持部材２０の先端側とを支柱２００の外径よりも大きく離しておき、第１挟持部材１０と第２挟持部材２０との間に支柱２００を配置する。そして、第１挟持部材１０の先端側と第２挟持部材２０の先端側とが互いに接近する方向に第１挟持部材１０と第２挟持部材２０を回動させる。その後、締結軸部４１を縦板材１４の軸部挿入用切欠部１４ａに挿入してからナット４２を締め込むと、ナット４２のフランジ部４２ａが縦板材１４における軸部挿入用切欠部１４ａの周縁部に圧接する。これにより、第１挟持部材１０の先端側と第２挟持部材２０の先端側とが接近する方向に締結されるので、第１基端側上板材１２及び第１先端側上板材１３の下側曲面部１２ａ、１３ａと、第２基端側上板材２２及び第２先端側上板材２３の下側曲面部２２ａ、２３ａとが共に支柱２００の外周面に圧接するとともに、第１下側板材１１の下側曲面部１１ａ及び第２下側板材２１の下側曲面部２１ａが共に支柱２００の外周面に圧接する。よって、クサビ緊結式足場用クランプ１が支柱２００に強固に固定された状態になる。
【００６８】
第１挟持部材１０には第１ポケット１５が設けられ、また第２挟持部材２０には第２ポケット２５が設けられているので、第１ポケット１５及び第２ポケット２５が第１挟持部材１０及び第２挟持部材２０によって支柱２００に確実に固定されることになる。
【００６９】
第１挟持部材１０及び第２挟持部材２０は支柱２００を径方向に挟持するものなので、例えば足場を構築する現場において第１挟持部材１０及び第２挟持部材２０を支柱２００の高さ方向に移動させること、支柱２００の周方向に移動させることが簡単に行える。よって、第１ポケット１５及び第２ポケット２５の位置変更が簡単になる。
【００７０】
また、第１挟持部材１０に設けた第１クランプ１５と、第２挟持部材２０に設けた第２クランプ２５とを支柱２００の任意の位置に固定することができ、両クランプ１５、２５を支柱２００に固定した状態では、第１挟持部材１０及び第２挟持部材２０が互いに締結されて動かないようになっているので、両クランプ１５、２５の相対的な位置の変化を抑制できる。
【００７１】
また、第１挟持部材１０に設けた第１クランプ１５と、第２挟持部材２０に設けた第２クランプ２５とを支柱２００の径方向に延びる同一直線上に位置付けることができる。これにより、第１クランプ１５に連結した布材１００と、第２クランプ２５に連結した布材（図示せず）とを同一直線上で位置決めすることができる。
【００７２】
さらに、第１挟持部材１０及び第２挟持部材２０を締結した状態で、第１ポケット１５及び第２ポケット２５を構成している部材が支柱２００の外周面に当たらなくなるので、各曲面部１１ａ、１２ａ、１３ａ、２１ａ、２２ａ、２３ａによってクランプ１を所定位置に固定することができる。
【００７３】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００７４】
上記実施形態では、締結部材４０がネジ及びナット４２によって締結力を得ることができるように構成されているが、これに限らず、図示しないが、クサビを利用して締結力を得ることができるように構成してもよい。例えば、締結軸部４１にクサビを差し込むことができる開口部を形成しておき、この開口部にクサビを差し込んで縦板材１４に圧接させることによって第１挟持部材１０の先端側と第２挟持部材２０の先端側とを互いに接近する方向に締結することができる。本発明の締結部材は、第１挟持部材１０及び第２挟持部材２０を締結することができる構造であればよく、上述した構造に限られるものではない。
【００７５】
また、ポケットは上述した形状及び構造に限られるものではなく、例えば、板材に、クサビを差し込んで固定することが可能な穴を形成したポケットであってもよい。また、クサビ緊結式足場用クランプ１の各部材は、例えばプレス成形された板材等であってもよい。
【産業上の利用可能性】
【００７６】
以上説明したように、本発明に係るクサビ緊結式足場用クランプは、例えば各種建築物の建設現場や土木工事現場で作業員用の仮設足場を構築する場合に使用することができる。
【符号の説明】
【００７７】
１              クサビ緊結式足場用クランプ
１０            第１挟持部材
１１            第１下側板材（第１当接板材）
１１ａ          曲面部
１２            第１基端側上板材（第２当接板材）
１３            第１先端側上板材（第２当接板材）
１５            第１ポケット
２０            第２挟持部材
２１            第２下側板材（第１当接板材）
２１ａ          曲面部
２２            第２基端側上板材（第２当接板材）
２３            第２先端側上板材（第２当接板材）
２５            第２ポケット
３０            連結部材
４０            締結部材
１００          布材（足場構成部材）
１０１          クサビ
２００          支柱
【図１】
2019132042.tif 000003
【図２】
2019132042.tif 000004
【図３】
2019132042.tif 000005
【図４】
2019132042.tif 000006
【図５】
2019132042.tif 000007
【図６】
2019132042.tif 000008
【図７】
2019132042.tif 000009
【図８】
2019132042.tif 000010
【手続補正書】
【提出日】平成30年10月22日(2018.10.22)
【手続補正１】
【補正対象書類名】明細書
【補正対象項目名】全文
【補正方法】変更
【補正の内容】
【発明の詳細な説明】
【技術分野】
【０００１】
本発明は、クサビ緊結式足場を構築する際に使用されるクサビ緊結式足場用クランプに関する。
【背景技術】
【０００２】
従来より、例えば各種建築物の建設現場や土木工事現場等では作業員用の仮設足場を構築した後、各種作業が行われている。仮設足場を構築する場合には、例えば、支柱、布材、布枠、先行手摺ブレース等の足場構成部材が使用され、支柱に対して布材等が連結される。この連結構造として、例えば布材の端部に下方へ突出するように固定されたクサビと、支柱の外周面に固定されたポケットとを使用する構造が知られている（例えば、特許文献１〜３参照）。ポケットは、金属製の板材を折り曲げることによって形成されており、上方に開放している。クサビをポケットに差し込むことによって複数の足場構成部材を連結していき、仮設足場を構築することができる。クサビ及びポケットによる連結構造を備えた仮設足場はクサビ緊結式足場と呼ばれている。
【０００３】
特許文献１、２に開示されているように、支柱には複数のポケットが上下方向に互いに間隔をあけて設けられており、１つのクサビをいずれか１つのポケットに差し込んで固定することが可能になっている。つまり、支柱に連結される布材等の高さは当該支柱に固定されているポケットの高さによって決定される。また、特許文献３に開示されているように、ポケットを構成している金属製板材は、支柱の外周面に対して溶接によって強固に固定されていて支柱から取り外すことができないようになっているのが一般的である。
【先行技術文献】
【特許文献】
【０００４】
【特許文献１】特開２０１３−１０４２８８号公報
【特許文献２】特開２０１３−２１６７号公報
【特許文献３】特開２０１６−７９７５８号公報
【発明の概要】
【発明が解決しようとする課題】
【０００５】
ところで、上述したように、クサビが差し込まれるポケットは支柱の外周面に複数設けられているが、上下方向に所定の間隔をあけて溶接により固定されているものなので、ポケットを上下方向や支柱の周方向に移動させることはできない。従って、例えば布材を支柱に連結する際には、予め定められたポケットの高さ及び方向でしか連結することはできず、布材の設置自由度が低いという問題がある。例えば、支柱の上下方向に並ぶポケットの間に布材を設置しようとしてもポケットが無いので設置することはできず、また現場で所望位置にポケットを溶接するようなことは極めて困難である。
【０００６】
本発明は、かかる点に鑑みてなされたものであり、その目的とするところは、クサビ緊結式足場を構築する場合に、ポケットを任意の位置に簡単かつ確実に固定することができるようにすることにある。
【課題を解決するための手段】
【０００７】
上記目的を達成するために、第１の発明は、足場構成部材に設けられたクサビを支柱に設けられたポケットに差し込んで固定することによって構築されるクサビ緊結式足場に使用されるクサビ緊結式足場用クランプにおいて、前記支柱の外周面に対して該支柱の径方向一側及び他側からそれぞれ当接して該支柱を径方向に挟持する第１挟持部材及び第２挟持部材と、前記第１挟持部材の一端側と前記第２挟持部材の一端側とが互いに接離する方向に回動可能に該第１挟持部材の他端側と該第２挟持部材の他端側とを連結する連結部材と、前記第１挟持部材の一端側と前記第２挟持部材の一端側とを互いに接近する方向に締結する締結部材とを備え、前記第１挟持部材は、前記支柱の中心線方向に互いに間隔をあけて設けられ、前記支柱の中心線に対して直交する方向に延びる第１当接板材及び第２当接板材を備え、該第１当接板材及び該第２当接板材の端縁部は、前記支柱の外周面に沿って延びる曲面部で構成され、前記第２挟持部材は、前記支柱の中心線方向に互いに間隔をあけて設けられ、前記支柱の中心線に対して直交する方向に延びる第１当接板材及び第２当接板材を備え、該第１当接板材及び該第２当接板材の端縁部は、前記支柱の外周面に沿って延びる曲面部で構成され、前記ポケットは、前記第１挟持部材とは別の板材で構成され、前記第１挟持部材に設けられ、前記ポケットを構成している板材は、前記第１挟持部材の前記曲面部よりも前記支柱の径方向外方に位置付けられ、前記支柱の外周面から離れるように形成されていることを特徴とする。
【０００８】
この構成によれば、第１挟持部材の一端側と第２挟持部材の一端側とが互いに離れる方向に第１挟持部材及び第２挟持部材を回動させると、第１挟持部材の一端側と第２挟持部材の一端側との間隔が広がるので、支柱を第１挟持部材と第２挟持部材との間に配置することが可能になる。支柱を第１挟持部材と第２挟持部材との間に配置した後、第１挟持部材の一端側と第２挟持部材の一端側とが互いに接近する方向に第１挟持部材及び第２挟持部材を回動させると、第１挟持部材及び第２挟持部材が支柱の外周面に対して該支柱の径方向一側及び他側からそれぞれ当接する。そして、締結部材により第１挟持部材の一端側と第２挟持部材の一端側とを互いに接近する方向に締結することで、第１挟持部材及び第２挟持部材が支柱を径方向に挟持してクサビ緊結式足場用クランプが支柱に対して固定された状態になる。第１挟持部材及び第２挟持部材の少なくとも一方にはポケットが設けられているので、ポケットが第１挟持部材及び第２挟持部材によって支柱に確実に固定されることになる。
【０００９】
第１挟持部材及び第２挟持部材は支柱を径方向に挟持するものなので、例えば足場を構築する現場において第１挟持部材及び第２挟持部材を支柱の高さ方向に移動させること、支柱の周方向に移動させることが簡単に行える。よって、ポケットの位置変更が簡単になる。
【００１０】
第２の発明は、前記ポケットは、前記第１挟持部材及び前記第２挟持部材に設けられていることを特徴とする。
【００１１】
この構成によれば、第１挟持部材に設けたクランプと、第２挟持部材に設けたクランプとを支柱の任意の位置に固定することができる。固定された状態では、第１挟持部材及び第２挟持部材は互いに締結されて動かないようになっているので、第１挟持部材及び第２挟持部材の相対的な位置の変化が起こらない。よって、第１挟持部材に設けたクランプと、第２挟持部材に設けたクランプとの相対的な位置の変化を抑制できる。
【００１２】
第３の発明は、前記第１挟持部材に設けられている前記ポケットの幅方向中心部と、前記第２挟持部材に設けられている前記ポケットの幅方向中心部とは、前記支柱の径方向に延びる同一直線上に位置していることを特徴とする。
【００１３】
この構成によれば、第１挟持部材に設けたクランプと、第２挟持部材に設けたクランプとを支柱の径方向に延びる同一直線上に位置付けることができる。これにより、第１挟持部材のクランプに連結した足場構成部材と、第２挟持部材のクランプに連結した足場構成部材とを同一直線上で位置決めすることができる。
【発明の効果】
【００１４】
本発明によれば、支柱を径方向に挟持する第１挟持部材及び第２挟持部材を回動可能に連結するとともに、第１挟持部材及び第２挟持部材を締結部材によって締結可能にし、クサビが差し込まれ固定されるポケットを第１挟持部材及び第２挟持部材の少なくとも一方に設けたので、ポケットを支柱の任意の位置に簡単かつ確実に固定することができる。
【図面の簡単な説明】
【００１５】
【図１】本発明の実施形態に係るクサビ緊結式足場用クランプを上方から見た斜視図である。
【図２】クサビ緊結式足場用クランプを下方から見た斜視図である。
【図３】クサビ緊結式足場用クランプの平面図である。
【図４】図３のＡ方向矢視図である。
【図５】図３のＢ方向矢視図である。
【図６】クサビ緊結式足場用クランプを支柱に取り付けて布材を連結した状態を示す斜視図である。
【図７】締結軸部を外した状態の図３相当図である。
【図８】第１挟持部材及び第２挟持部材を開いた状態の図３相当図である。
【発明を実施するための形態】
【００１６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１７】
図１は、本発明の実施形態に係るクサビ緊結式足場用クランプ１を上方から見た斜視図であり、図２は、クサビ緊結式足場用クランプ１を下方から見た斜視図である。図６に示すように、クサビ緊結式足場用クランプ１は、例えば布材１００を支柱２００に連結する場合に使用される部材である。布材１００、支柱２００、布枠（図示せず）、先行手摺ブレース（図示せず）、幅木（図示せず）、壁つなぎ（図示せず）、ジャッキ（図示せず）、階段（図示せず）及びクサビ緊結式足場用クランプ１等によってクサビ緊結式足場が構築される。クサビ緊結式足場を構成している各部材は、足場構成部材である。
【００１８】
クサビ緊結式足場は、図６に示す布材１００の両端部にそれぞれ設けられたクサビ１０１を、支柱２００に設けられたポケット２０１、１５、２５に差し込んで固定することによって構築される。図示しないが、上記布枠、先行手摺ブレース等にもクサビが設けられており、これらクサビをポケット２０１、１５、２５に差し込んで固定することもできる。布材１００の端部に設けられるクサビ１０１の形状や構造は様々である。本発明は、どのクサビ１０１に対しても適用することができる。
【００１９】
支柱２００は、金属製の円管部材で構成されており、通常は、下方向に延びるように配設されるが、傾斜していても構わない。また、布材１００も支柱２００と同様な円管部材で構成されており、通常は略水平方向に延びるように配設されるが、傾斜していても構わない。
【００２０】
（クサビ緊結式足場用クランプ１の全体構成）
図１や図２に示すように、クサビ緊結式足場用クランプ１は、支柱２００を径方向に挟持する第１挟持部材１０及び第２挟持部材２０と、第１挟持部材１０及び第２挟持部材２０を回動可能に連結する連結部材３０と、第１挟持部材１０及び第２挟持部材２０を締結する締結部材４０と、第１ポケット１５及び第２ポケット２５とを備えている。図１〜図５に示すように、第１挟持部材１０及び第２挟持部材２０は、支柱２００の外周面に対して該支柱２００の径方向（水平方向）一側及び他側からそれぞれ当接することにより、支柱２００を径方向に挟持（クランプ）する部材である。
【００２１】
第１ポケット１５は第１挟持部材１０に設けられ、第２ポケット２５は第２挟持部材２０に設けられている。これら第１及び第２ポケット１５、２５は同じものである。この実施形態では、クサビ緊結式足場用クランプ１が２つのポケット１５、２５を備えている場合について説明するが、ポケットの数は２つに限定されるものではなく、１つであってもよいし、３つ以上であってもよい。
【００２２】
尚、この実施形態の説明では、図６に示すようにクサビ緊結式足場用クランプ１を支柱２００に取り付けた状態で、クサビ緊結式足場用クランプ１の下になる側を単に「下」といい、クサビ緊結式足場用クランプ１の上になる側を単に「上」というものとする。また、第１挟持部材１０及び第２挟持部材２０における連結部材３０によって連結される側を、第１挟持部材１０及び第２挟持部材２０の「基端側」といい、第１挟持部材１０及び第２挟持部材２０における連結部材３０によって連結される側とは反対側を、第１挟持部材１０及び第２挟持部材２０の「先端側」というものとする。第１挟持部材１０及び第２挟持部材２０の先端側が本発明の一端側に相当し、第１挟持部材１０及び第２挟持部材２０の基端側が本発明の他端側に相当する。このようにクサビ緊結式足場用クランプ１の方向を定義するのは説明の便宜を図るためだけであり、クサビ緊結式足場用クランプ１の使用状態を限定するものではなく、図示した姿勢以外の姿勢でクサビ緊結式足場用クランプ１を使用することも可能である。
【００２３】
また、図１〜６は、クサビ緊結式足場用クランプ１が使用状態にある場合を示しており、図７は、締結部材４０による締結が行われていない状態を示しており、図８は、第１挟持部材１０及び第２挟持部材２０の先端側同士が離れる方向に、第１挟持部材１０及び第２挟持部材２０を回動させた状態を示しており、支柱２００に取り付けられる前である。
【００２４】
（第１挟持部材１０の構成）
図１〜図５に示すように、第１挟持部材１０は、第１下側板材（第１当接板材）１１と、第１基端側上板材（第２当接板材）１２と、第１先端側上板材（第２当接板材）１３と、縦板部１４とを有している。第１下側板材１１、第１基端側上板材１２及び第１先端側上板材１４は例えば鋼板等で構成されている。
【００２５】
第１下側板材１１は、第１挟持部材１０の下側部分を構成する板材であり、図２等に示すように、支柱２００の外周面を周方向に略半分だけ囲むように形成され、支柱２００の中心線に対して直交する方向に延びている。第１下側板材１１における支柱２００の外周面に当接する部分は、該支柱２００の外周面に沿って延びる下側曲面部１１ａで構成されている。この下側曲面部１１ａは、支柱２００の外径と略同じ径の円弧に近い形状を有している。
【００２６】
図１及び図２に示すように、第１下側板材１１の先端側と基端側との間（中間部）には、第１ポケット１５を取り付けるための第１切欠部１１ｂが形成されている。この第１切欠部１１ｂは、第１下側板材１１における下側曲面部１１ａ側に開放されている。第１切欠部１１ｂの幅は、第１ポケット１５の幅Ｗ１（図３に示す）と略等しく設定されている。
【００２７】
第１基端側上板材１２及び第１先端側上板材１３は、第１挟持部材１０の上側部分を構成する板材であり、第１下側板材１１から上方へ離れて配設されている。従って、第１下側板材１１と、第１基端側上板材１２及び第１先端側上板材１３とは、支柱２００の中心線方向に互いに間隔をあけて設けられることになる。第１基端側上板材１２は、第１挟持部材１０の上側部分における基端側、即ち、連結部材３０によって連結される側を構成しており、支柱２００の外周面を周方向に囲むように形成され、支柱２００の中心線に対して直交する方向に延びている。一方、第１先端側上板材１３は、第１挟持部材１０の上側部分における先端側、即ち、連結部材３０によって連結される側とは反対側を構成している。第１先端側上板材１３も第１基端側上板材１２と同様に、支柱２００の外周面を周方向に囲むように形成され、支柱２００の中心線に対して直交する方向に延びている。
【００２８】
第１基端側上板材１２及び第１先端側上板材１３は、支柱２００の周方向に互いに間隔をあけて配置されている。第１基端側上板材１２及び第１先端側上板材１３の間に、第１ポケット１５が配設される。すなわち、第１基端側上板材１２及び第１先端側上板材１３の間隔は、第１ポケット１５の幅Ｗ１（図３に示す）と略等しく設定されており、第１ポケット１５を設けるための隙間が第１基端側上板材１２及び第１先端側上板材１３の間に形成されている。そして、第１基端側上板材１２における先端側の縁部と、第１先端側上板材１３における基端側の縁部との間に第１ポケット１５が配置されている。第１基端側上板材１２における先端側の縁部と、第１先端側上板材１３における基端側の縁部とが、第１ポケット１５に溶接等によって固定される。従って、第１基端側上板材１２及び第１先端側上板材１３は、第１ポケット１５により連結され、該第１ポケット１５を介して一体化されることになる。第１ポケット１５の支柱２００の周方向の位置は図示する位置に限られるものではなく、任意の位置にすることができる。第１ポケット１５の支柱２００の周方向の位置は、第１基端側上板材１２及び第１先端側上板材１３の形状と、第１切欠部１１ｂの形成位置とを変更することによって任意に変えることができる。
【００２９】
第１基端側上板材１２及び第１先端側上板材１３における支柱２００の外周面に当接する部分は、それぞれ、該支柱２００の外周面に沿って延びる下側曲面部１２ａ、１３ａで構成されている。この下側曲面部１２ａ、１３ａは、支柱２００の外径と略同じ径の円弧に近い形状を有している。
【００３０】
第１挟持部材１０の先端部には、例えば鋼鈑等からなる縦板材１４が設けられている。縦板材１４は、第１下側板材１１の先端部から第１先端側上板材１３の先端部まで上下方向に延びている。縦板材１４の下側部分が第１下側板材１１の先端部に対して溶接等により固定され、縦板材１４の下端部が第１下側板材１１よりも下方へ突出している。また縦板材１４の上側部分が第１先端側上板材１３の先端部に対して溶接等により固定され、縦板材１４の上端部が第１先端側上板材１３の上面よりも上方へ突出している。従って、第１下側板材１１の先端部と第１先端側上板材１３の先端部とは縦板材１４を介して連結されることになる。
【００３１】
縦板材１４の先端部は、第１下側板材１１の先端部及び第１先端側上板材１３の先端部よりも第１挟持部材１０の先端側へ向けて突出している。この縦板材１４には、後述する締結軸部４１を挿入する軸部挿入用切欠部１４ａが形成されている。軸部挿入用切欠部１４ａは、縦板材１４の先端側に向けて開放している。縦板材１４の先端部には、軸部挿入用切欠部１４ａの上方及び下方にそれぞれ上側屈曲部１４ｂ及び下側屈曲部１４ｃが形成されている。上側屈曲部１４ｂ及び下側屈曲部１４ｃは、使用状態にある第２挟持部材２０から離れる方向に屈曲している。この上側屈曲部１４ｂ及び下側屈曲部１４ｃの形成により、後述する締結状態にあるナット４２が上側屈曲部１４ｂ及び下側屈曲部１４ｃに係合して締結軸部４１が軸部挿入用切欠部１４ａから抜け難くなる。
【００３２】
（第２挟持部材２０の構成）
第２挟持部材２０は、第２下側板材（第１当接板材）２１と、第２基端側上板材（第２当接板材）２２と、第２先端側上板材（第２当接板材）２３とを有している。第２下側板材２１、第２基端側上板材２２及び第２先端側上板材２３は例えば鋼板等で構成されている。
【００３３】
第２下側板材２１は、第２挟持部材２０の下側部分を構成する板材であり、図２等に示すように、第１下側板材１１と同様に、支柱２００の外周面を周方向に略半分だけ囲むように形成され、支柱２００の中心線に対して直交する方向に延びている。この第２下側板材２１は、第１下側板材１１の上側に配置されているが、第１下側板材１１の下側に配置することもできる。
【００３４】
第２下側板材２１における支柱２００の外周面に当接する部分は、該支柱２００の外周面に沿って延びる下側曲面部２１ａで構成されている。この下側曲面部２１ａは、支柱２００の外径と略同じ径の円弧に近い形状を有している。第１挟持部材１０及び第２挟持部材２０を連結部材３０で連結した使用状態では、第１下側板材１１の下側曲面部１１ａと、第２下側板材２１の下側曲面部２１ａとが共に支柱２００の外周面に沿って延びるように配置することが可能になっている。この使用状態においては、第１下側板材１１の下側曲面部１１ａと、第２下側板材２１の下側曲面部２１ａとが、支柱２００の中心線Ｃ（図３に示す）近傍を中心としかつ該支柱２００の外径と略同径の同一円周上に位置するようになっている。
【００３５】
図２に示すように、第２下側板材２１の先端側と基端側との間（中間部）には、第２ポケット２５を取り付けるための第２切欠部２１ｂが形成されている。この第２切欠部２１ｂは、第２下側板材２１における下側曲面部２１ａ側に開放されている。第２切欠部２１ｂの幅は、第２ポケット１５の幅Ｗ２（図３に示す）と略等しく設定されている。
【００３６】
第２基端側上板材２２及び第２先端側上板材２３は、第２挟持部材２０の上側部分を構成する板材であり、第２下側板材２１から上方へ離れて配設されている。従って、第２下側板材２１と、第２基端側上板材２２及び第１先端側上板材２３とは、支柱２００の中心線方向に互いに間隔をあけて設けられることになる。第２基端側上板材２２は、第２挟持部材２０の上側部分における基端側、即ち、連結部材３０によって連結される側を構成しており、支柱２００の外周面を周方向に囲むように形成され、支柱２００の中心線に対して直交する方向に延びている。一方、第２先端側上板材２３は、第２挟持部材２０の上側部分における先端側、即ち、連結部材３０によって連結される側とは反対側を構成している。第２先端側上板材２３も第２基端側上板材２２と同様に、支柱２００の外周面を周方向に囲むように形成され、支柱２００の中心線に対して直交する方向に延びている。
【００３７】
第２基端側上板材２２及び第２先端側上板材２３は、第１基端側上板材１２及び第１先端側上板材１３よりも下に配置されているが、これに限らず、第１基端側上板材１２及び第１先端側上板材１３よりも上に配置してもよい。この実施形態では、第２基端側上板材２２及び第２先端側上板材２３と、第２下側板材２１との間隔が、第１基端側上板材１２及び第１先端側上板材１３と、第１下側板材１１との間隔よりも狭く設定されている。
【００３８】
第２基端側上板材２２及び第２先端側上板材２３は、支柱２００の周方向に互いに間隔をあけて配置されている。第２基端側上板材２２及び第２先端側上板材２３の間に、第２ポケット２５が配設される。すなわち、第２基端側上板材２２及び第２先端側上板材２３の間隔は、第２ポケット２５の幅Ｗ２（図３に示す）と略等しく設定されており、第２ポケット２５を設けるための隙間が第２基端側上板材２２及び第２先端側上板材２３の間に形成されている。そして、第２基端側上板材２２における先端側の縁部と、第２先端側上板材２３における基端側の縁部との間に第２ポケット２５が配置されている。第２基端側上板材２２における先端側の縁部と、第２先端側上板材２３における基端側の縁部とが、第２ポケット２５に溶接等によって固定される。従って、第２基端側上板材２２及び第２先端側上板材２３は、第２ポケット２５により連結され、該第２ポケット２５を介して一体化されることになる。
【００３９】
第２ポケット２５の支柱２００の周方向の位置は図示する位置に限られるものではなく、任意の位置にすることができる。第２ポケット２５の支柱２００の周方向の位置は、第２基端側上板材２２及び第２先端側上板材２３の形状と、第２切欠部２１ｂの形成位置とを変更することによって任意に変えることができる。
【００４０】
この実施形態では、図３に示すように、第１挟持部材１０に設けられている第１ポケット１５の幅方向Ｗ１の中心部と、第２挟持部材２０に設けられている第２ポケット２５の幅方向Ｗ２の中心部とは、支柱２００の径方向に延びる同一直線Ｄ上に位置している。この直線Ｄは、支柱２００の中心線Ｃを通って径方向に延びる仮想の線である。
【００４１】
第２基端側上板材２２及び第２先端側上板材２３における支柱２００の外周面に当接する部分は、それぞれ、該支柱２００の外周面に沿って延びる下側曲面部２２ａ、２３ａで構成されている。この下側曲面部２２ａ、２３ａは、支柱２００の外径と略同じ径の円弧に近い形状を有している。
【００４２】
第１挟持部材１０及び第２挟持部材２０を連結部材３０で連結した使用状態では、第１基端側上板材１２及び第１先端側上板材１３の下側曲面部１２ａ、１３ａと、第２基端側上板材２２及び第２先端側上板材２３の下側曲面部２２ａ、２３ａとが共に支柱２００の外周面に沿って延びるように配置することが可能になっている。この使用状態においては、第１基端側上板材１２及び第１先端側上板材１３の下側曲面部１２ａ、１３ａと、第２基端側上板材２２及び第２先端側上板材２３の下側曲面部２２ａ、２３ａとが、支柱２００の中心線Ｃ（図３に示す）近傍を中心としかつ該支柱２００の外径と略同径の同一円周上に位置するようになっている。
【００４３】
（第１ポケット１５の構成）
第１ポケット１５は、図６に示すクサビ１０１が差し込まれて固定される部分であり、例えば鋼板等の板材で構成されている。第１ポケット１５は、第１挟持部材１０の基端側に位置して上下方向に延びる第１側板部１５ａと、第１挟持部材１０の先端側に位置して上下方向に延びる第２側板部１５ｂと、端板部１５ｃとで構成されている。端板部１５ｃは、第１側板部１５ａの外端部から第２側板部１５ｂの外端部まで延びている。これにより、第１ポケット１５は、上下方向両方に開放されるとともに、支柱２００の外周面と対向する部分も開放されることになる。第１ポケット１５の形状は、差し込まれるクサビ１０１の大きさや形状、構造に応じて変更すればよい。第１ポケット１５の形状を変更しても本実施形態と同様に第１ポケット１５を設けることができる。また、第１挟持部材１０に第１ポケット１５を複数設けることができる。この場合、複数の第１ポケット１５を支柱２００の周方向に互いに間隔をあけて配置することができる。また、第１挟持部材１０にはポケットを設けることなく、第２挟持部材２０にのみポケットを設けてもよい。
【００４４】
第１ポケット１５の第１側板部１５ａが第１基端側上板材１２の先端側の縁部に溶接によって固定されるとともに、第１下側板材１１の第１切欠部１１ｂの縁部にも同様に固定される。第１ポケット１５の第２側板部１５ｂが第１先端側上板材１３の基端側の縁部に溶接によって固定されるとともに、第１下側板材１１の第１切欠部１１ｂの縁部にも同様に固定される。また、第１ポケット１５の端板部１５ｃは、第１下側板材１１の第１切欠部１１ｂの縁部に溶接によって固定される。つまり、第１下側板材１１、第１基端側上板材１２及び第１先端側上板材１３は、溶接された第１ポケット１５によって連結される。
【００４５】
図１に示すように、第１ポケット１５の上端部は、第１基端側上板材１２及び第１先端側上板材１３の上面よりも上方へ突出している。図２に示すように、第１ポケット１５の下端部は、第１下側板材１１の下面よりも下方へ突出している。
【００４６】
また、第１ポケット１５を構成している部材は、第１下側板材１１の下側曲面部１１ａ、第１基端側上板材１２の下側曲面部１２ａ及び第１先端側上板材１３の下側曲面部１３ａよりも支柱２００の径方向外方に位置している。これにより、クサビ緊結式足場用クランプ１が支柱２００に取り付けられた時に、第１ポケット１５を構成している部材が支柱２００の外周面に当たらなくなる。
【００４７】
（第２ポケット２５の構成）
第２ポケット２５は、第１ポケット１５と同様にクサビ１０１が差し込まれて固定される部分であり、例えば鋼板等の板材で構成されている。第２ポケット２５は、第２挟持部材２０の基端側に位置して上下方向に延びる第１側板部２５ａと、第２挟持部材２０の先端側に位置して上下方向に延びる第２側板部２５ｂと、端板部２５ｃとで構成されている。端板部２５ｃは、第１側板部２５ａの外端部から第２側板部２５ｂの外端部まで延びている。これにより、第２ポケット２５は、上下方向両方に開放されるとともに、支柱２００の外周面と対向する部分も開放されることになる。第２ポケット２５の形状は、第１ポケット１５と同様に、差し込まれるクサビ１０１の大きさや形状、構造に応じて変更すればよい。第２ポケット２５の形状を変更しても本実施形態と同様に第２ポケット２５を設けることができる。また、第２挟持部材２０に第２ポケット２５を複数設けることができる。この場合、複数の第２ポケット２５を支柱２００の周方向に互いに間隔をあけて配置することができる。また、第２挟持部材２０にはポケットを設けることなく、第１挟持部材１０にのみポケットを設けてもよい。
【００４８】
第２ポケット２５の第１側板部２５ａが第２基端側上板材２２の先端側の縁部に溶接によって固定されるとともに、第２下側板材２１の第２切欠部２１ｂの縁部にも同様に固定される。第２ポケット２５の第２側板部１５ｂが第２先端側上板材２３の基端側の縁部に溶接によって固定されるとともに、第２下側板材２１の第２切欠部２１ｂの縁部にも同様に固定される。また、第２ポケット２５の端板部２５ｃは、第２下側板材２１の第２切欠部２１ｂの縁部に溶接によって固定される。つまり、第２下側板材２１、第２基端側上板材２２及び第２先端側上板材２３は、溶接された第２ポケット２５によって連結される。
【００４９】
図１に示すように、第２ポケット２５の上端部は、第２基端側上板材２２及び第２先端側上板材２３の上面よりも上方へ突出している。図２に示すように、第２ポケット２５の下端部は、第２下側板材２１の下面よりも下方へ突出している。
【００５０】
また、第２ポケット２５を構成している部材は、第２下側板材２１の下側曲面部２１ａ、第２基端側上板材２２の下側曲面部２２ａ及び第２先端側上板材２３の下側曲面部２３ａよりも支柱２００の径方向外方に位置している。これにより、クサビ緊結式足場用クランプ１が支柱２００に取り付けられた時に、第２ポケット２５を構成している部材が支柱２００の外周面に当たらなくなる。
【００５１】
（連結部材３０の構成）
連結部材３０は、例えば金属製の丸棒材等で構成することができ、上下方向に延びている。連結部材３０の上側部分が、第１基端側上板材１２の基端側及び第２基端側上板材２２の基端側を貫通している。すなわち、第１基端側上板材１２の基端側及び第２基端側上板材２２の基端側には、連結部材３０の上側部分が挿通可能な挿通孔（図示せず）が形成されている。これら両挿通孔に連結部材３０の上側部分が挿通されており、この挿通状態で、連結部材３０が第１基端側上板材１２の基端側及び第２基端側上板材２２の基端側に対して該連結部材３０の中心線周りに相対的に回動可能となっている。連結部材３０の上端部は、第１基端側上板材１２の上面から上方へ突出している。連結部材３０の上端部には上側止め輪３１が嵌められている。
【００５２】
連結部材３０の下側部分は、第１下側板材１１の基端側及び第２下側板材１２の基端側を貫通している。すなわち、第１下側板材１１の基端側及び第２下側板材１２の基端側には、連結部材３０の下側部分が挿通可能な挿通孔（図示せず）が形成されている。これら両挿通孔に連結部材３０の下側部分が挿通されており、この挿通状態で、連結部材３０が第１下側板材１１の基端側及び第２下側板材１２の基端側に対して該連結部材３０の中心線周りに相対的に回動可能となっている。図２に示すように、連結部材３０の下端部は、第１下側板材１１の下面から下方へ突出している。連結部材３０の下端部には下側止め輪３２が嵌められている。これにより、連結部材３０は第１挟持部材１０及び第２挟持部材２０から脱落しなくなる。
【００５３】
従って、連結部材３０によって第１挟持部材１０の基端側と第２挟持部材２０の基端側とが連結されて、第１挟持部材１０の先端側と第２挟持部材２０の先端側とが互いに接離する方向に回動可能になる。
【００５４】
（締結部材４０の構成）
締結部材４０は、締結軸部４１、ナット４２、支軸４３、上側止め輪４４及び下側止め輪４５（図２に示す）を少なくとも備えている。図１等に示すように、締結軸部４１の基端部には大径部４１ａが形成されている。締結軸部４１における大径部４１ａ以外の部分は、外周面にネジ溝が連続して形成されたネジ棒で構成されており、例えばボルトの軸部等で構成することができる。ナット４２は、締結軸部４１に螺合する部材である。ナット４２のフランジ部４２ａが縦板部１４における軸部挿入用切欠部１４ａの周縁部に当接するようになっている。
【００５５】
支軸４３は、締結軸部４１の大径部４１ａを第２挟持部材２０の先端側に対して回動可能に支持するための部材である。支軸４３は、上記連結部材３０と同様に上下方向に延びる丸棒材で構成されている。支軸４３の上側部分は、第２先端側上板材２３の先端側を貫通している。すなわち、第２先端側上板材２３の先端側には、支軸４３の上側部分が挿通可能な挿通孔（図示せず）が形成されている。この挿通孔に支軸４３の上側部分が挿通されており、この挿通状態で、支軸４３が第２先端側上板材２３の先端側に対して該支軸４３の中心線周りに相対的に回動可能となっている。支軸４３の上端部は、第２先端側上板材２３の上面から上方へ突出している。支軸４３の上端部には上側止め輪４４が嵌められている。
【００５６】
支軸４３の下側部分は、第２下側板材２１の先端側を貫通している。すなわち、第２下側板材２１の先端側には、支軸４３の下側部分が挿通可能な挿通孔（図示せず）が形成されている。この挿通孔に支軸４３の下側部分が挿通されており、この挿通状態で、支軸４３が第２下側板材２１の先端側に対して該支軸４３の中心線周りに相対的に回動可能となっている。支軸４３の下端部は、第２下側板材２１の下面から下方へ突出している。支軸４３の下端部には下側止め輪４５が嵌められている。
【００５７】
締結軸部４１を回動させることにより、図１等に示すように、締結軸部４１を縦板材１４の軸部挿入用切欠部１４ａに挿入した状態と、図７及び図８に示すように、締結軸部４１を縦板材１４の軸部挿入用切欠部１４ａから抜いた状態とに切り替えることができる。締結軸部４１を縦板材１４の軸部挿入用切欠部１４ａに挿入した状態で、ナット４２を締め込むと、第１挟持部材１０の先端側と第２挟持部材２０の先端側とが接近する方向に締結される。
【００５８】
（実施形態の作用効果）
以上説明したように、この実施形態に係るクサビ緊結式足場用クランプ１によれば、図７に示すように締結軸部４１を縦板材１４の軸部挿入用切欠部１４ａから抜いた状態にすることで、図８に示すように第１挟持部材１０の先端側と第２挟持部材２０の先端側とが離れるように、第１挟持部材１０と第２挟持部材２０を回動させることができる。回動させる際には、第１挟持部材１０を固定しておき、第２挟持部材２０を第１挟持部材１０に対して回動させることや、第２挟持部材２０を固定しておき、第１挟持部材１０を第２挟持部材２０に対して回動させることができる。
【００５９】
クサビ緊結式足場用クランプ１を支柱２００に取り付ける場合には、第１挟持部材１０の先端側と第２挟持部材２０の先端側とを支柱２００の外径よりも大きく離しておき、第１挟持部材１０と第２挟持部材２０との間に支柱２００を配置する。そして、第１挟持部材１０の先端側と第２挟持部材２０の先端側とが互いに接近する方向に第１挟持部材１０と第２挟持部材２０を回動させる。その後、締結軸部４１を縦板材１４の軸部挿入用切欠部１４ａに挿入してからナット４２を締め込むと、ナット４２のフランジ部４２ａが縦板材１４における軸部挿入用切欠部１４ａの周縁部に圧接する。これにより、第１挟持部材１０の先端側と第２挟持部材２０の先端側とが接近する方向に締結されるので、第１基端側上板材１２及び第１先端側上板材１３の下側曲面部１２ａ、１３ａと、第２基端側上板材２２及び第２先端側上板材２３の下側曲面部２２ａ、２３ａとが共に支柱２００の外周面に圧接するとともに、第１下側板材１１の下側曲面部１１ａ及び第２下側板材２１の下側曲面部２１ａが共に支柱２００の外周面に圧接する。よって、クサビ緊結式足場用クランプ１が支柱２００に強固に固定された状態になる。
【００６０】
第１挟持部材１０には第１ポケット１５が設けられ、また第２挟持部材２０には第２ポケット２５が設けられているので、第１ポケット１５及び第２ポケット２５が第１挟持部材１０及び第２挟持部材２０によって支柱２００に確実に固定されることになる。
【００６１】
第１挟持部材１０及び第２挟持部材２０は支柱２００を径方向に挟持するものなので、例えば足場を構築する現場において第１挟持部材１０及び第２挟持部材２０を支柱２００の高さ方向に移動させること、支柱２００の周方向に移動させることが簡単に行える。よって、第１ポケット１５及び第２ポケット２５の位置変更が簡単になる。
【００６２】
また、第１挟持部材１０に設けた第１クランプ１５と、第２挟持部材２０に設けた第２クランプ２５とを支柱２００の任意の位置に固定することができ、両クランプ１５、２５を支柱２００に固定した状態では、第１挟持部材１０及び第２挟持部材２０が互いに締結されて動かないようになっているので、両クランプ１５、２５の相対的な位置の変化を抑制できる。
【００６３】
また、第１挟持部材１０に設けた第１クランプ１５と、第２挟持部材２０に設けた第２クランプ２５とを支柱２００の径方向に延びる同一直線上に位置付けることができる。これにより、第１クランプ１５に連結した布材１００と、第２クランプ２５に連結した布材（図示せず）とを同一直線上で位置決めすることができる。
【００６４】
さらに、第１挟持部材１０及び第２挟持部材２０を締結した状態で、第１ポケット１５及び第２ポケット２５を構成している部材が支柱２００の外周面に当たらなくなるので、各曲面部１１ａ、１２ａ、１３ａ、２１ａ、２２ａ、２３ａによってクランプ１を所定位置に固定することができる。
【００６５】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００６６】
上記実施形態では、締結部材４０がネジ及びナット４２によって締結力を得ることができるように構成されているが、これに限らず、図示しないが、クサビを利用して締結力を得ることができるように構成してもよい。例えば、締結軸部４１にクサビを差し込むことができる開口部を形成しておき、この開口部にクサビを差し込んで縦板材１４に圧接させることによって第１挟持部材１０の先端側と第２挟持部材２０の先端側とを互いに接近する方向に締結することができる。本発明の締結部材は、第１挟持部材１０及び第２挟持部材２０を締結することができる構造であればよく、上述した構造に限られるものではない。
【００６７】
また、ポケットは上述した形状及び構造に限られるものではなく、例えば、板材に、クサビを差し込んで固定することが可能な穴を形成したポケットであってもよい。また、クサビ緊結式足場用クランプ１の各部材は、例えばプレス成形された板材等であってもよい。
【産業上の利用可能性】
【００６８】
以上説明したように、本発明に係るクサビ緊結式足場用クランプは、例えば各種建築物の建設現場や土木工事現場で作業員用の仮設足場を構築する場合に使用することができる。
【符号の説明】
【００６９】
１              クサビ緊結式足場用クランプ
１０            第１挟持部材
１１            第１下側板材（第１当接板材）
１１ａ          曲面部
１２            第１基端側上板材（第２当接板材）
１３            第１先端側上板材（第２当接板材）
１５            第１ポケット
２０            第２挟持部材
２１            第２下側板材（第１当接板材）
２１ａ          曲面部
２２            第２基端側上板材（第２当接板材）
２３            第２先端側上板材（第２当接板材）
２５            第２ポケット
３０            連結部材
４０            締結部材
１００          布材（足場構成部材）
１０１          クサビ
２００          支柱
【手続補正２】
【補正対象書類名】特許請求の範囲
【補正対象項目名】全文
【補正方法】変更
【補正の内容】
【特許請求の範囲】
【請求項１】
足場構成部材に設けられたクサビを支柱に設けられたポケットに差し込んで固定することによって構築されるクサビ緊結式足場に使用されるクサビ緊結式足場用クランプにおいて、
前記支柱の外周面に対して該支柱の径方向一側及び他側からそれぞれ当接して該支柱を径方向に挟持する第１挟持部材及び第２挟持部材と、
前記第１挟持部材の一端側と前記第２挟持部材の一端側とが互いに接離する方向に回動可能に該第１挟持部材の他端側と該第２挟持部材の他端側とを連結する連結部材と、
前記第１挟持部材の一端側と前記第２挟持部材の一端側とを互いに接近する方向に締結する締結部材とを備え、
前記第１挟持部材は、前記支柱の中心線方向に互いに間隔をあけて設けられ、前記支柱の中心線に対して直交する方向に延びる第１当接板材及び第２当接板材を備え、該第１当接板材及び該第２当接板材の端縁部は、前記支柱の外周面に沿って延びる曲面部で構成され、
前記第２挟持部材は、前記支柱の中心線方向に互いに間隔をあけて設けられ、前記支柱の中心線に対して直交する方向に延びる第１当接板材及び第２当接板材を備え、該第１当接板材及び該第２当接板材の端縁部は、前記支柱の外周面に沿って延びる曲面部で構成され、
前記ポケットは、前記第１挟持部材とは別の板材で構成され、前記第１挟持部材に設けられ、
前記ポケットを構成している板材は、前記第１挟持部材の前記曲面部よりも前記支柱の径方向外方に位置付けられ、前記支柱の外周面から離れるように形成されていることを特徴とするクサビ緊結式足場用クランプ。
【請求項２】
請求項１に記載のクサビ緊結式足場用クランプにおいて、
前記ポケットは、前記第１挟持部材及び前記第２挟持部材に設けられていることを特徴とするクサビ緊結式足場用クランプ。
【請求項３】
請求項２に記載のクサビ緊結式足場用クランプにおいて、
前記第１挟持部材に設けられている前記ポケットの幅方向中心部と、前記第２挟持部材に設けられている前記ポケットの幅方向中心部とは、前記支柱の径方向に延びる同一直線上に位置していることを特徴とするクサビ緊結式足場用クランプ。